(57)【要約】【課題】タブシートを含むプリントジョブにおいて、タブ文章入力手段を持ち、その入力文章を各タブシートのタブ部に印字する際、文章の文字数に応じて、フォントサイズを自動選択する。【解決手段】・タブ文章入力手段・タブ部印字エリア算出手段・タブ文章入力手段による文章の文字数と、タブ部印字エリア算出手段による印字エリアサイズとから、適切なフォントサイズを選択するフォントサイズ選択手段。【選択図】　　　　図１
2004034550.tif 000002
【特許請求の範囲】
【請求項１】
画像データを入力する原稿画像入力手段を持ち、この画像データに基づいてカットシート上に画像を形成し出力するジョブを実行する画像形成装置であって、
画像形成されるカットシートを収納するシート収納手段と、前記シート収納手段から画像形成処理部へシートを給送するシート給送手段と、前記シート収納手段に収納されているシートがタブ付きシートであるタブシート給送手段と、
前記タブシート給送手段におけるタブシートの一組の枚数を設定するタブシート組枚数設定手段と、前記タブシート組枚数設定手段により設定されたタブシート組枚数に応じた数のタブ部文章を入力できるタブ部文章入力手段と、
文字コードデータを任意のサイズに可視像化するためのフォントデータと、
前記タブ部文章入力手段により入力された文章の文字コードデータを前記フォントデータにより、タブシートのタブ部分に可視像を形成するタブ部画像形成手段とを有し、
前記タブ部文章入力手段により入力された各タブシートのタブ部文章の文字数の中から、最大文字数の文章を検出する手段を備え、前記検出手段による最大文字数と、規定のタブ部画像の幅・長さのデータから、前記フォントデータからタブ部画像の幅・長さ内に最大文字数分の画像が形成できるフォントサイズを選択し、そのフォントサイズにて全タブシートのタブ部画像を形成することを特徴とする画像形成装置。
【請求項２】
タブ部画像の幅・長さデータを入力できる入力手段を備え、その入力手段により入力されたデータと、各タブ部文章のうちの最大文字数とにより、前記フォントデータからタブ部画像の幅・長さ内に最大文字数分の画像が形成できるフォントサイズを選択し、そのフォントサイズにて全タブシートのタブ部画像を形成することを特徴とする請求項１の画像形成装置。
【請求項３】
タブ部分のタブ長さを入力するタブ長さ入力手段と、タブシートにおけるタブ部幅を入力するタブ幅入力手段と、画像形成装置固有のシートエッジ部最低余白量データとからタブ部画像エリアデータを算出するタブ部画像エリア算出手段を備え、前記タブ部画像エリア算出手段によるタブ部画像形成エリアデータと、各タブ部文章のうちの最大文字数とにより、前記フォントデータからタブ部画像形成エリアに最大文字数分の画像が形成できるフォントサイズを選択し、そのフォントサイズにて全タブシートのタブ部画像を形成することを特徴とする請求項１の画像形成装置。
【請求項４】
前記タブシート給送手段にセットされたタブシートとそれ以外のシートを用いて、原稿画像の出力をタブシート以外のシートを用いて画像形成し、さらに出力束内の少なくともひとつ以上の所定の位置にタブシートを挿入するタブ合紙モード設定手段と、
前記タブ合紙モード設定手段により設定されたタブシート挿入位置の設定に対応する各タブシートの各タブ部に画像形成するための、ユーザーが所望する任意の文章を入力できるタブ部文章入力手段とを備え、前記タブ合紙モード設定手段によりタブ合紙モードが設定されているプリントジョブにおいて、前記タブ部文章入力手段による各タブ部文章のうちの最大文字数により、前記フォントデータからタブ部画像の幅・長さ内に最大文字数分の画像が形成できるフォントサイズを選択し、そのフォントサイズにて全タブシートのタブ部画像を形成することを特徴とする請求項１の画像形成装置。
【請求項５】
画像データを入力する原稿画像入力手段を持ち、この画像データに基づいてカットシート上に画像を形成し出力するジョブを実行する画像形成装置であって、
画像形成されるカットシートを収納するシート収納手段と、前記シート収納手段から画像形成処理部へシートを給送するシート給送手段と、前記シート収納手段に収納されているシートがタブ付きシートであるタブシート給送手段と、
前記タブシート給送手段におけるタブシートの一組の枚数を設定するタブシート組枚数設定手段と、前記タブシート組枚数設定手段により設定されたタブシート組枚数に応じた数のタブ部文章を入力できるタブ部文章入力手段と、
文字コードデータを任意のサイズに可視像化するためのフォントデータと、
前記タブ部文章入力手段により入力された文章の文字コードデータを前記フォントデータにより、タブシートのタブ部分に可視像を形成するタブ部画像形成手段とを有し、規定のタブ部画像の幅・長さのデータと、前記タブ部文章入力手段により入力された各タブシートに対するタブ部文章の文字数から、各タブシートにおける前記フォントデータの最適サイズを各々選択し、各々選択されたフォントサイズにて各タブシートのタブ部画像を形成することを特徴とする画像形成装置。
【請求項６】
タブ部画像の幅・長さデータを入力できる入力手段を備え、その入力手段により入力されたデータと、前記タブ部文章入力手段により入力された各タブシートのタブ部文章の文字数から、各タブシートにおける前記フォントデータの最適サイズを各々選択し、各々選択されたフォントサイズにて各タブシートのタブ部画像を形成することを特徴とする請求項５の画像形成装置。
【請求項７】
タブ部分のタブ長さを入力するタブ長さ入力手段と、タブシートにおけるタブ部幅を入力するタブ幅入力手段と、画像形成装置固有のシートエッジ部最低余白量データとからタブ部画像エリアデータを算出するタブ部画像エリア算出手段を備え、前記タブ部画像エリア算出手段によるタブ部画像形成エリアデータと、前記タブ部文章入力手段により入力された各タブシートのタブ部文章の文字数から、各タブシートにおける前記フォントデータの最適サイズを各々選択し、各々選択されたフォントサイズにて各タブシートのタブ部画像を形成することを特徴とする請求項５の画像形成装置。
【請求項８】
前記タブシート給送手段にセットされたタブシートとそれ以外のシートを用いて、原稿画像の出力をタブシート以外のシートを用いて画像形成し、さらに出力束内の少なくともひとつ以上の所定の位置にタブシートを挿入するタブ合紙モード設定手段と、
前記タブ合紙モード設定手段により設定されたタブシート挿入位置の設定に対応する各タブシートの各タブ部に画像形成するための、ユーザーが所望する任意の文章を入力できるタブ部文章入力手段とを備え、前記タブ合紙モード設定手段によりタブ合紙モードが設定されているプリントジョブにおいて、前記タブ部文章入力手段により入力された各タブシートのタブ部文章の文字数から、各タブシートにおける前記フォントデータの最適サイズを各々選択し、各々選択されたフォントサイズにて各タブシートのタブ部画像を形成することを特徴とする請求項５の画像形成装置。
【請求項９】
タブ部分に画像形成するためのフォントサイズを決定する際、タブ部画像の幅・長さのデータと、前記タブ部文章入力手段により入力された各タブシートに対するタブ部文章の文字数から、各タブシートにおける前記フォントデータの最適サイズを各々選択し、各々選択されたフォントサイズにて各タブシートのタブ部画像を形成するモードと、前記タブ部文章入力手段により入力された各タブシートのタブ部文章の文字数の中から、最大文字数の文章を検出する手段を備え、前記検出手段による最大文字数と、規定のタブ部画像の幅・長さのデータから、前記フォントデータからタブ部画像の幅・長さ内に最大文字数分の画像が形成できるフォントサイズを選択し、そのフォントサイズにて全タブシートのタブ部画像を形成するモードのどちらかを選択する手段をもつことを特徴とする請求項１と請求項５の画像形成装置。
【発明の詳細な説明】
【０００１】
【発明の属する技術分野】
本発明はコピージョブもしくはプリントジョブの画像形成する画像形成装置であって、タブシートのタブ部分に画像形成ができる画像形成装置に関する。
【０００２】
【従来の技術】
従来より、タブがついているタブシートを用いてタブ部分に画像形成をするタブシート作成モードや、通常サイズの用紙とともに、タブがついているタブシートを用いて、出力束内の任意の位置にタブシートを挿入し、見出しつけ・章分けを行ったドキュメントを作成する、タブ合紙モードを備えた複写機およびプリンタが提案されている。
【０００３】
この従来より提案されているプリンタにおいて、タブシートのタブ部分に画像形成するために、原稿画像をシフトする方法が用いられている。
【０００４】
しかしながらこの方法では、タブシートは位置を一枚ずつずらしながら一組を形成しているものが一般的であるため、例えば章２の見出しだったものを章３の見出しに変更する必要が出てきた場合などには用意したタブ部分の原稿を作り直さねばならないなどの不便さがあった。
【０００５】
またタブ部分の幅・長さに応じて、原稿画像の文字の大きさ・文字の位置などの調整も、その都度ユーザーがやらねばならず、手間がかかるなどの問題点もあった。
【０００６】
本発明では、タブ部分にプリントしたい文字を入力する入力手段を設け、さらにその入力文字数とタブ部分のエリアの大きさから、各タブシートごとに最適サイズのフォントを自動選択し、各タブシートのタブ部分に（１枚毎位置をずらしながら）画像形成することで、上記仕様上のわずらわしさから解放されることを可能とする画像形成装置を提案する。
【０００７】
またさらに、各タブ部分のフォントのサイズが異なることを嫌うユーザーに対しては、その入力文字数のうち、最大文字数を検知してその最大文字数の文章において最適なフォントを用いて全タブ部分の画像形成をすることで印字に失敗することなく、かつ各タブ部分の印字の見栄えを揃えることのできる画像形成装置を提案する。
【０００８】
【課題を解決するための手段】
上記問題を解決するために請求項１の発明は、画像データを入力する原稿画像入力手段を持ち、この画像データに基づいてカットシート上に画像を形成し出力するジョブを実行する画像形成装置であって、
画像形成されるカットシートを収納するシート収納手段と、前記シート収納手段から画像形成処理部へシートを給送するシート給送手段と、前記シート収納手段に収納されているシートがタブ付きシートであるタブシート給送手段と、
前記タブシート給送手段におけるタブシートの一組の枚数を設定するタブシート組枚数設定手段と、前記タブシート組枚数設定手段により設定されたタブシート組枚数に応じた数のタブ部文章を入力できるタブ部文章入力手段と、
文字コードデータを任意のサイズに可視像化するためのフォントデータと、
前記タブ部文章入力手段により入力された文章の文字コードデータを前記フォントデータにより、タブシートのタブ部分に可視像を形成するタブ部画像形成手段とを有し、
前記タブ部文章入力手段により入力された各タブシートのタブ部文章の文字数の中から、最大文字数の文章を検出する手段を備え、前記検出手段による最大文字数と、規定のタブ部画像の幅・長さのデータから、前記フォントデータからタブ部画像の幅・長さ内に最大文字数分の画像が形成できるフォントサイズを選択し、そのフォントサイズにて全タブシートのタブ部画像を形成することを特徴とする画像形成装置を提案する。
【０００９】
また請求項１において、タブ部画像の幅・長さデータを入力できる入力手段を備え、その入力手段により入力されたデータと、
各タブ部文章のうちの最大文字数とにより、前記フォントデータからタブ部画像の幅・長さ内に最大文字数分の画像が形成できるフォントサイズを選択し、そのフォントサイズにて全タブシートのタブ部画像を形成することを特徴とすることもできる。
【００１０】
また請求項１において、タブ部分のタブ長さを入力するタブ長さ入力手段と、タブシートにおけるタブ部幅を入力するタブ幅入力手段と、画像形成装置固有のシートエッジ部最低余白量データとからタブ部画像エリアデータを算出するタブ部画像エリア算出手段を備え、前記タブ部画像エリア算出手段によるタブ部画像形成エリアデータと、各タブ部文章のうちの最大文字数とにより、前記フォントデータからタブ部画像形成エリアに最大文字数分の画像が形成できるフォントサイズを選択し、そのフォントサイズにて全タブシートのタブ部画像を形成することを特徴とすることもできる。
【００１１】
さらにまた請求項１において、前記タブシート給送手段にセットされたタブシートとそれ以外のシートを用いて、原稿画像の出力をタブシート以外のシートを用いて画像形成し、さらに出力束内の少なくともひとつ以上の所定の位置にタブシートを挿入するタブ合紙モード設定手段と、
前記タブ合紙モード設定手段により設定されたタブシート挿入位置の設定に対応する各タブシートの各タブ部に画像形成するための、ユーザーが所望する任意の文章を入力できるタブ部文章入力手段とを備え、前記タブ合紙モード設定手段によりタブ合紙モードが設定されているプリントジョブにおいて、前記タブ部文章入力手段による各タブ部文章のうちの最大文字数により、前記フォントデータからタブ部画像の幅・長さ内に最大文字数分の画像が形成できるフォントサイズを選択し、そのフォントサイズにて全タブシートのタブ部画像を形成することを特徴とすることもできる。
【００１２】
さらに請求項５の発明は、画像データを入力する原稿画像入力手段を持ち、この画像データに基づいてカットシート上に画像を形成し出力するジョブを実行する画像形成装置であって、
画像形成されるカットシートを収納するシート収納手段と、前記シート収納手段から画像形成処理部へシートを給送するシート給送手段と、前記シート収納手段に収納されているシートがタブ付きシートであるタブシート給送手段と、
前記タブシート給送手段におけるタブシートの一組の枚数を設定するタブシート組枚数設定手段と、前記タブシート組枚数設定手段により設定されたタブシート組枚数に応じた数のタブ部文章を入力できるタブ部文章入力手段と、
文字コードデータを任意のサイズに可視像化するためのフォントデータと、
前記タブ部文章入力手段により入力された文章の文字コードデータを前記フォントデータにより、タブシートのタブ部分に可視像を形成するタブ部画像形成手段とを有し、
規定のタブ部画像の幅・長さのデータと、前記タブ部文章入力手段により入力された各タブシートに対するタブ部文章の文字数から、各タブシートにおける前記フォントデータの最適サイズを各々選択し、各々選択されたフォントサイズにて各タブシートのタブ部画像を形成することを特徴とする画像形成装置を提案する。
【００１３】
また請求項５の発明において、タブ部画像の幅・長さデータを入力できる入力手段を備え、その入力手段により入力されたデータと、前記タブ部文章入力手段により入力された各タブシートのタブ部文章の文字数から、各タブシートにおける前記フォントデータの最適サイズを各々選択し、各々選択されたフォントサイズにて各タブシートのタブ部画像を形成することを特徴とすることもできる。
【００１４】
また請求項５の発明において、タブ部分のタブ長さを入力するタブ長さ入力手段と、タブシートにおけるタブ部幅を入力するタブ幅入力手段と、画像形成装置固有のシートエッジ部最低余白量データとからタブ部画像エリアデータを算出するタブ部画像エリア算出手段を備え、前記タブ部画像エリア算出手段によるタブ部画像形成エリアデータと、前記タブ部文章入力手段により入力された各タブシートのタブ部文章の文字数から、各タブシートにおける前記フォントデータの最適サイズを各々選択し、各々選択されたフォントサイズにて各タブシートのタブ部画像を形成することを特徴とすることもできる。
【００１５】
さらにまた請求項５の発明において、前記タブシート給送手段にセットされたタブシートとそれ以外のシートを用いて、原稿画像の出力をタブシート以外のシートを用いて画像形成し、さらに出力束内の少なくともひとつ以上の所定の位置にタブシートを挿入するタブ合紙モード設定手段と、
前記タブ合紙モード設定手段により設定されたタブシート挿入位置の設定に対応する各タブシートの各タブ部に画像形成するための、ユーザーが所望する任意の文章を入力できるタブ部文章入力手段とを備え、前記タブ合紙モード設定手段によりタブ合紙モードが設定されているプリントジョブにおいて、前記タブ部文章入力手段により入力された各タブシートのタブ部文章の文字数から、各タブシートにおける前記フォントデータの最適サイズを各々選択し、各々選択されたフォントサイズにて各タブシートのタブ部画像を形成することを特徴とすることもできる。
【００１６】
またさらに請求項１の発明と請求項５の発明において、タブ部分に画像形成するためのフォントサイズを決定する際、タブ部画像の幅・長さのデータと、前記タブ部文章入力手段により入力された各タブシートに対するタブ部文章の文字数から、各タブシートにおける前記フォントデータの最適サイズを各々選択し、各々選択されたフォントサイズにて各タブシートのタブ部画像を形成するモードと、前記タブ部文章入力手段により入力された各タブシートのタブ部文章の文字数の中から、最大文字数の文章を検出する手段を備え、前記検出手段による最大文字数と、規定のタブ部画像の幅・長さのデータから、前記フォントデータからタブ部画像の幅・長さ内に最大文字数分の画像が形成できるフォントサイズを選択し、そのフォントサイズにて全タブシートのタブ部画像を形成するモードのどちらかを選択する手段をもつことを特徴とすることができる。
【００１７】
【発明の実施の形態】
図１は、本発明における画像形成装置の一例を示す断面図で、１００は画像形成装置本体、１８０は自動原稿送り装置（ＤＦ）である。図１において、１０１は原稿載置台としてのプラテンガラスで、１０２はスキャナで、原稿照明ランプ１０３、走査ミラー１０４等で構成される。不図示のモータによりスキャナが所定方向に往復走査されて原稿の反射光を走査ミラー１０４〜１０６を介してレンズ１０８を透過してＣＣＤセンサ１０９に結像する。１２０はレーザ、ポリゴンスキャナ等で構成された露光制御部で、イメージセンサ部１０９で電気信号に変換され、後述する所定の画像処理が行われた画像信号に基づいて変調されたレーザ光１２９を感光体ドラム１１０に照射する。感光体ドラム１１０の回りには、１次帯電器１１２、現像器１２１、転写帯電器１１８、クリーニング装置１１６、前露光ランプ１１４が装備されている。画像形成部１２６において、感光体ドラム１１０は不図示のモータにより図に示す矢印の方向に回転しており、１次帯電器１１２により所望の電位に帯電された後、露光制御部１２０からのレーザ光１２９が照射され、静電潜像が形成される。感光体ドラム１１０上に形成された静電潜像は、現像器１２１により現像されて、トナー像として可視化される。一方、上段カセット１３１あるいは下段カセット１３２からピックアップローラ１３３、１３４により給紙された転写紙は、給紙ローラ１３５、１３６により本体に送られ、レジストローラ１３７により転写ベルトに給送され、可視化されたトナー像が転写帯電器１１８により転写紙に転写される。転写後の感光体ドラムは、クリーナー装置１１６により残留トナーが清掃され、前露光ランプ１１４により残留電荷が消去される。転写後の転写紙は、転写ベルト１３０から分離され、定着前帯電器１３９、１４０によりトナー画像が再帯電され、定着器１４１に送られ加圧、加熱により定着され、排出ローラ１４２により本体１００の外に排出される。
【００１８】
本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、１００枚の転写紙を収容し得る、マルチ手差し１５３が装備されている。さらに、図１において、１５４は排紙フラッパであり、両面記録側ないし多重記録側と排紙側の経路を切り替える。排紙ローラ１４２から送り出された転写紙は、この排紙フラッパ１５４により両面記録側ないし多重記録側に切り替えられる。また、１５８は下搬送パスであり、排紙ローラ１４２から送り出された転写紙を反転パス１５５を介し、転写紙を裏返して再給紙トレイ１５６に導く。また、１５７は両面記録と多重記録の経路を切り替える多重フラッパであり、これを左方向に倒すことにより、転写紙を反転パス１５５に介さず、直接下搬送パス１５８に導く。１５９は経路１６０を通じて転写紙を感光体ドラム１２６側に給紙する給紙ローラである。１６１は排紙フラッパ１５４の近傍に配置されて、この排紙フラッパ１５４により排出側に切り替えられた転写紙を機外に排出する排出ローラである。両面記録（両面複写）や多重記録（多重複写）時には、排紙フラッパ１５４を上方に上げて、複写済みの転写紙を搬送パス１５５、１５８を介して再給紙トレイ１５６に格納する。このとき、両面記録時には、多重フラッパ１５７を右方向へ倒し、また多重記録時には、多重フラッパ１５７を左方向へ倒す。再給紙トレイ１５６に格納されている転写紙が、下から１枚ずつ給紙ローラ１５９により経路１６０を介して本体のレジストローラ１３７に導かれる。本体から転写紙を反転して排出する時には、排紙フラッパ１５４を上方へ上げ、フラッパ１５７を右方向へ倒し、複写済みの転写紙を搬送パス１５５側へ搬送し、転写紙の後端が第１の送りローラ１６２を通過した後に、反転ローラ１６３によって第２の送りローラ側へ搬送し、排出ローラ１６１によって、転写紙を裏返して機外へ排出される。
【００１９】
１９０は画像形成装置１００から排出した転写紙をそろえて閉じる後処理装置である。後述する操作部１７２において、ソート、ステイプル等の排紙束後処理動作が設定されなかった場合は搬送路１９４を通り、処理トレイ１９３を介さず、排紙トレイ１９１に一枚毎に排出される。排紙束後処理動作が設定された場合、搬送路１９５を通り、一枚毎に排出される転写紙を処理トレイ１９３で積載してそろえる。一部の画像形成の排出が終了したら、転写紙束をステイプルして排紙トレイ１９１、又は、１９２に束で排出する。排紙束後処理動作が設定された場合は、基本的に排紙トレイ１９２に対し束排出するが、満載状態などの条件により排紙トレイ１９１へ切り替える制御を行う。排紙トレイ１９１、１９２は不図示のモータで上下に移動制御され、画像形成動作開始前に積載するトレイが処理トレイの位置になるように移動する。
【００２０】
１９６は後処理装置１９０の上に位置する、非画像形成シート挿入装置である。
【００２１】
後述する操作部１７２において、表紙モードなどの非画像形成シート挿入動作を行う設定がされた場合には、非画像形成シート挿入装置１９６にあらかじめ収納されていた非画像形成シートが搬送路１９７を通り、搬送路１９４もしくは搬送路１９５と合流して画像形成装置１００から排出された転写紙と同じ排出口へと排出される。
【００２２】
図２は、画像形成装置１００内の制御ブロック図である。１７１は画像形成装置１００の基本制御を行うＣＰＵであり、制御プログラムが書き込まれたＲＯＭ１７４と処理を行うためのワークＲＡＭ１７５、入出力ポート１７３がアドレスバス、データバスにより接続されている。入出力ポート１７３には、画像形成装置１００を制御する、モータ、クラッチ等の各種負荷（不図示）や、紙の位置を検知するセンサ等の入力（不図示）が接続されている。
【００２３】
ＣＰＵ１７１はＲＯＭ１７４の内容にしたがって入出力ポート１７３を介して順次入出力の制御を行い画像形成動作を実行する。又、ＣＰＵ１７１には操作部１７２が接続されており、操作部１７２の表示手段、キー入力手段を制御する。操作者はキー入力手段をとおして、画像形成動作モードや、表示の切り替えをＣＰＵ１７１に指示し、ＣＰＵ１７１は画像形成装置１００の状態や、キー入力による動作モード設定の表示を行う。ＣＰＵ１７１には、イメージセンサ部１０９で電気信号に変換された信号を、処理する画像処理部１７０と、処理された画像を蓄積する画像メモリー部３が接続されている。
【００２４】
次に、図３に従って、この画像処理部１７０の詳細を述べる。図３は、画像処理部のブロック図である。レンズ１０８を介しＣＣＤセンサ１０９に結像された原稿画像は、Ｂｌａｃｋの輝度のデータとして入力され、ＣＣＤセンサ１０９によりアナログ電気信号に変換される。変換された画像情報は、アナログ信号処理部（不図示）に入力され、サンプル＆ホールド、ダークレベルの補正等が行われた後に、Ａ／Ｄ変換部３０１でアナログ・デジタル変換（Ａ／Ｄ変換）し、デジタル化された信号を、シェーディング補正（原稿を読み取るセンサのばらつき、および原稿照明用ランプの配光特性の補正）する。その後、ｌｏｇ変換部３０２に送られる。ｌｏｇ変換部３０２では、入力された輝度データを濃度データに変換するためのＬＵＴが格納されており、入力されたデータに対応するテーブル値を出力することによって、輝度データを濃度データに変換する。その後、変倍処理部３０３により所望の倍率に画像を変倍して、γ補正部３０４に入力される。γ補正部３０４では濃度データを出力する際に、プリンタの特性を考慮したＬＵＴによる変換を行い、操作部で設定された濃度値に応じた出力の調整を行う。その後、２値化部３０５へ送られる。２値化部３０５では多値の濃度データが２値化され、濃度値が「０」あるいは「２５５」となる。８ｂｉｔの画像データは、２値化され「０」または「１」の１ｂｉｔの画像データに変換され、メモリに格納する画像データ量は小さくなる。
【００２５】
しかし、画像を２値化すると、画像の階調数は２５６階調から２階調になるため、写真画像のような中間調の多い画像データは２値化すると一般に画像の劣化が著しい。そこで、２値データによる擬似的な中間調表現をする必要がある。ここでは、２値のデータで擬似的に中間調表現を行う手法として誤差拡散法を用いる。この方法は、ある画像の濃度がある敷居値より大きい場合は「２５５」の濃度データであるとし、ある敷居値以下である場合は「０」の濃度データであるとして２値化した後、実際の濃度データと２値化されたデータの差分を誤差信号として、回りの画素に配分する方法である。誤差の配分は、あらかじめ用意されているマトリクス上の重み係数を２値化によって生じる誤差に対して掛け合わせ、回りの画素に加算することによって行う。これによって、画像全体での濃度平均値が保存され、中間調を擬似的に２値で表現することができる。２値化された画像データは、画像メモリー部３へ送られ、画像蓄積される。また、外部Ｉ／Ｆ処理部４から入力される、コンピュータからの画像データは、外部Ｉ／Ｆ処理部で２値画像データとして処理されているため、そのまま画像メモリー部３に送られる。画像メモリー部３は、高速のページメモリーと複数のページ画像データを蓄積可能な大容量のメモリー（ハードディスク）を有している。ハードディスクに格納された複数の画像データは、画像形成装置１００の操作部で指定された編集モードに応じた順序で出力される。例えば、ソートの場合、ＤＦ１８０から読み取った原稿束の画像を順に出力する。ハードディスクから一旦格納された原稿の画像データを読み出し、これを複数回繰り返して出力する。これにより、ビンが複数あるソータと同じ役割を果たすことができる。画像メモリー部３から出力した画像データはプリンター部２にあるスムージング部３０６に送られる。スムージング部３０６では、２値化した画像の線端部が滑らかになるようにデータの補間を行い、露光制御部１２０へ画像データを出力する。露光制御部１２０では前述の処理により画像データを転写紙に形成する。
【００２６】
次に画像メモリー部３の詳細を図４に従って述べる。画像メモリー部では、ＤＲＡＭ等のメモリーで構成されるページメモリー部４０１に、メモリーコントローラ部４０２を介して外部Ｉ／Ｆ処理部４、画像処理部１７０からの２値画像の書き込み、プリンター部２への画像読み出し、大容量の記憶装置であるハードディスク４０４への画像の入出力のアクセスを行う。メモリーコントローラ部４０２は、ページメモリー４０１のＤＲＡＭリフレッシュ信号の発生を行い、又、画像Ｉ／Ｆ処理部４、画像処理部１７０、ハードディスク４０４からのページメモリー４０１へのアクセスの調停を行う。更に、ＣＰＵ１７１の指示に従い、ページメモリー部４０１への書き込みアドレス、ページメモリー部４０１からの読み出しアドレス、読み出し方向などの制御をする。それにより、ＣＰＵ１７１はページメモリー部４０１に複数の原稿画像をならべてレイアウトを行い、プリンター部に出力する機能や、画像の一部分のみ切り出して出力する機能や、画像回転機能を制御する。
【００２７】
図５に従って、外部Ｉ／Ｆ処理部４の構成を述べる。外部Ｉ／Ｆ処理部４は前述した様に、画像メモリー部３を介して、リーダ部の２値画像データを外部Ｉ／Ｆ処理部に取り込み、又、画像メモリー部３を介して、外部Ｉ／Ｆからの２値画像データをプリンター部２へ出力して画像形成を行う。外部Ｉ／Ｆ処理部４にはコア部５０６とファクシミリ部５０１、ファクシミリ部の通信画像データを保存するハードディスク５０２、外部コンピューター１１と接続するコンピュータインターフェース部５０３と、フォーマッタ部５０４、イメージメモリー部５０５を有している。ファクシミリ部５０１はモデム（不図示）を介して公衆回線と接続しており、公衆回線からのファクシミリ通信データの受信と、公衆回線へのファクシミリ通信データの送信を行う。ファクシミリ部５０１では、ファクシミリ機能である、指定された時間にファックス送信を行ったり、相手から指定パスワードの問い合わせで画像データを送信するなどハードディスク５０２にファクス用の画像を保存して処理を行う。これにより、一度リーダー部１から画像メモリー部３を介して、ファクシミリ部５０１、ファクシミリ用のハードディスク５０２へ画像を転送した後は、リーダー部１、画像メモリー部３をファクシミリ機能に使うことなしに、ファックス送信を行うことができる。コンピューターインターフェイス部５０３は外部のコンピューターとのデータ通信を行うインターフェイス部であり、ローカルエリアネットワーク（以下、ＬＡＮ）、シリアルＩ／Ｆ、ＳＣＳＩＩ／Ｆ、プリンターのデータ入力用のセントロＩ／Ｆなどを持つ。このＩ／Ｆを介して、プリンター部、リーダー部の状態を外部コンピューターに通知したり、コンピューターの指示でリーダー部１で読み取った画像を外部コンピューターへ転送したりする。また、外部コンピュータからプリント画像データを受け取ったりする。外部コンピューターからコンピューターインターフェイス部５０３を介して通知されるプリントデータは専用のプリンタコードで記述されているため、フォーマッタ部５０４はそのコードを画像メモリー部３を介してプリンター部２で画像形成を行うラスターイメージデータに変換する。フォーマッタ部５０４はラスターイメージデータの展開をイメージメモリー部５０５に行う。イメージメモリー部は、このようにフォーマッタ部５０４がラスターイメージデータの展開するメモリーとして使用したり、また、リーダー部の画像をコンピューターインターフェイス部５０３を介して外部コンピューターに送る（画像スキャナー機能）場合に、画像メモリー部３から送られる画像データをイメージメモリー部に一度展開し、外部コンピューターに送るデータの形式に変換してコンピュータインターフェイス部５０３からデータを送出するような場合においても使用される。コア部５０６は、ファクシミリ部５０１、コンピューターインターフェース部５０３、フォーマッタ部５０４、イメージメモリー部５０５、画像メモリー部３間それぞれのデータ転送を制御管理する。これにより、外部Ｉ／Ｆ処理部４に複数の画像出力部があっても、画像メモリー部３へ画像転送路が一つであっても、コア部５０６の管理のもと、排他制御、優先度制御され画像出力が行われる。
【００２８】
次に、図１で述べた、画像形成装置の複写動作を設定する操作部を図６にしたがって述べる。図６において、６２１は電源が入っていることを示すパワーランプである。
【００２９】
６１３のパワースイッチにより、電源のＯＮ／ＯＦＦの切り替えにあわせ、６２１は点灯、消灯をする。６２２はテンキーであり、画像形成枚数の設定やモード設定の数値入力に使用する。また、ファクシミリ設定画面では、電話番号の入力に使用する。６２３はクリアーキーであり、テンキーで入力した設定のクリアーをする。６１６はリセットキーであり、設定された画像形成枚数や動作モードや選択給紙段等のモードを既定値に戻すためのものである。６１４はスタートキーであり、このスタートキー６１４の押下により画像形成動作を開始する。スタートキー６１４の中央にはスタート可能か否かを示す赤色とグリーンのＬＥＤ（不図示）があり、スタートができない場合は、赤色のＬＥＤが点灯し、スタート可能な場合はグリーンのＬＥＤが点灯する。６１５はストップキーであり、複写動作の停止を行うために使用する。６１７はガイドキーであり、このキーを押下した後に、他のキーを押下すると、そのキーにより設定できる機能の説明が表示パネルに表示される。このガイド表示を解除する場合は、再度ガイドキー６１７を押下することで行う。６１８はユーザー設定キーであり、このキーを押下すると画像形成装置の設定をユーザーが変更可能になる。ユーザーが変更できる設定は、自動的に設定をクリアーするまでの時間や、タイマー設定関連や、専用トレイの設定などプリンタ・コピー共通、もしくは各ファンクション固有の機能全般に対する設定などである。
【００３０】
６１９は割り込みキーであり、画像形成動作中にこのキーを押下すると、他の画像形成動作を中止して、コピーを行うことができる。６２０は液晶等で構成される表示パネルであり、詳細なモード設定を容易にするべく、設定モードに応じて表示内容が変わる。又、表示パネルの表面はタッチセンサーになっている。図６の例では、複写動作モードの設定画面の例を示している。図６では、表示パネル６２０内に６２４〜６３１のキーを表示しており、このキーの表示の位置を触れることでキーの押下を判断して、モードを設定する。６２７は用紙段の選択キーであり、このキーを押下すると、カセット１３１、１３２、デッキ１５０、手差しトレイ１５３のいずれから給紙を行うかを設定する表示を表示パネル６２０に行う。
【００３１】
６２８〜６３１は複写動作の複写倍率を設定するキーである。６２６は応用モードの設定キーであり、このキーを押下すると、多重動作や縮小レイアウトモード、表紙・合紙モード等の応用機能モードの設定する画面が表示パネルに表示され、例えば、図７（ａ）の様な各応用機能モードの設定キーの表示がされ、応用モードの設定を可能にする。ここで図７（ｂ）、図７（ｃ）、図７（ｄ）、図７（ｅ）、図７（ｆ）、図７（ｇ）は図７（ａ）の画面において、タブモードキー７０１を押下した時に表示されるタブモードの設定画面である。図７（ｂ）はタブモードの詳細設定画面である。タブ作成モード設定キー７０２を押下すると、タブ給紙段からタブ用紙のみが設定された置数と原稿枚数から決定される出力枚数分、画像形成されて出力し、かつタブ部分に画像形成すべく画像移動などのモードも自動設定されるタブ作成モードが設定される。タブインサートモード設定キー７０３を押下すると、出力束の任意の位置に任意の枚数分タブシートを挿入し、かつ挿入されたタブシートのタブ部分に画像形成すべく画像移動などのモードも自動設定されるタブインサートモードが設定される。
【００３２】
図７（ｃ）は、タブシート給紙段を設定するため設定画面である。この画面ではタブシートをセットする給紙段が制限されており、この図では第三給紙段と第四給紙段のみタブシート給紙段の候補であることを示している。他の給紙段は設定できないことを示すために網掛け表示となっている。図７（ｂ）において、タブ作成モード設定キー７０２、タブインサートモードキー７０３のいずれを押下されても、この画面が表示され、タブシート給紙段が設定が行える。
【００３３】
図７（ｄ）は図７（ｃ）で設定されたタブ給紙段にセットされているタブ紙のタブ数を設定する画面である。タブ紙には一般的に１タブから２０タブ程度の種類があり、そのタブ数を設定することで後述するタブ紙一組における各々のタブ位置を算出するタブ位置算出処理が可能となる。
【００３４】
図７（ｅ）はタブインサート位置の設定の画面である。図７（ｂ）でタブインサートモードキー７０３を選択した場合にこの画面が表示される。この画面で図のように設定された挿入位置にタブ位置の異なるタブシートが予め決められた順に挿入される。
【００３５】
図７（ｆ）はタブ部文章入力画面である。図７（ｂ）でタブ作成モードキー７０２、タブインサートモードキー７０３のどちらを選択した場合でも表示される画面である。図７（ｂ）においてタブ作成モードを選択した場合には、図７（ｄ）において設定されたタブ紙一組におけるタブ数分の入力欄が表示される。図７（ｂ）においてタブインサートモードが選択された場合、図７（ｅ）のタブインサート位置の数分の入力欄が表示される。図の例では５文章分の入力欄が表示されており、すでに入力の終わっているナンバーの欄には文章表示欄７０４、７０５のように、入力された文章が表示されている。
【００３６】
図７（ｇ）は各タブ部文章の文字入力画面である。図７（ｆ）におけるタブ部文章入力ナンバー選択キー７０６〜７１０のいずれかを押下した場合に表示される。本画面に表示されている入力キー群を用いて各文字の入力を行う。各キーの機能は一般的なコンピュータ等の文字入力機能を持つ装置で既知の技術であるため詳細な説明は割愛する。
【００３７】
６２４は両面動作の設定キーであり、例えば、片面原稿から両面出力を行う「片−両モード」、両面原稿から両面出力を行う「両−両モード」、両面原稿から２枚の片面出力を行う「両−片モード」の３種類の両面モードの設定を行う。６２５はソートキーであり、このキーの押下で後処理装置１９０の動作モードの設定や、画像メモリーを用いての出力紙の仕分けモード設定する。
【００３８】
表示パネル内のキーの表示は通常の表示の他に、表示のキーのモードが設定できない場合は、表示の線を点線（網掛け）にすることで、そのキーが操作できない事をあらわすようになっている。又、図６の例では、表示パネル６２０の上方には複写動作の設定された内容の表示や、現在の動作状態を表示する。又、画面の左上にはこの表示画面が後述する各機能モードのどの画面であるかを示す表示があり、図６の例では、コピーＡの設定画面を示している。図６の例では、文字で示しているがそれぞれを示す記号でもよい。又、表示パネル６２０の下方には後述する他の機能モードの動作状態を一ラインで表示できる範囲で表示している。図６の例では、コピーＢのプリンター部への出力動作中であることを示している。表示パネル６２０内の応用モードキー６２６の横に、ユーザーにより変更可能なキーがあり、応用モードの設定画面で設定できる機能のキーを最大２つまで登録可能である。応用モードの設定キーを図の位置に出して表示することで、その登録したモードの設定をより容易に行える様にすることができる。
【００３９】
６３２はプルーフプリントモードキーであり、６２５の後処理設定キーにおいて仕分けモード設定されている場合で複数部出力のときに、１部出力が終了したときに一旦プリント動作を停止し、ユーザーに仕上がりを確認させ、ＯＫならば継続、ＮＧならば中止を選択できるプルーフプリントモードの設定を行う。６３３は排出トレイキーである。ユーザー設定キー６１８においてジョブタイプ毎の排出トレイの初期値は設定されるが、このキーを押下することで表示される画面において、そのジョブの排出トレイが個別に設定できる。
【００４０】
図６において、６０１〜６１２は画像形成装置１００を用いた、複写動作、システム動作の各機能の設定を行う為に操作部の表示を切り替える為の、キー及びＬＥＤ表示である。６０１、６０４、６０７、６１０はそれぞれ、各機能を切り替えるキーになっている。このキーは半透明のキーボタンで構成されており、キーの内部にはＬＥＤ等の表示ランプ（不図示）がある。これらのキーを押下することで、操作画面を選択するとキー内部のランプが点灯する。各キーの内部のこのランプは選択されている操作機能画面のキーの内部にあるランプのみ点灯制御され、その他のキーの内部のランプは消灯するように制御される。又、各キーの右にはグリーンのＬＥＤが配置され（６０３、６０６、６０９、６１２）、このＬＥＤは、各機能の動作状況をＬＥＤの点灯制御であらわしている。例えば、コピーＢのＬＥＤ６０６はコピーＢがスタンバイ中では消灯制御され、図６の例の様にコピーＢが出力動作中の場合は、点滅制御される。又、画像メモリーのハードディスク３０４にコピーＢの画像が保存され、コピーＢのプリント動作が行われていない場合には、点灯制御される。同様に例えば、ファクスのＬＥＤ６０９では、通信動作中、プリント動作中、読み込み動作中では、点滅制御され、ファクシミリ部ハードディスク４０２にファクス画像がある場合には点灯制御される。各キーの左にはレッドのＬＥＤが配置され（６０２、６０５、６０８、６１１）、このＬＥＤは、各機能の異常状況が発生したことをＬＥＤの点灯制御であらわしている。例えば、コピーＢのＬＥＤ６０５はコピーＢが、紙なし中断やＪＡＭ等の異常が発生した時、ＬＥＤ６０５は点滅制御される。この時、コピーＢ機能キー６０４を押下し、操作部の表示をコピーＢに切り替えることで、表示パネルにコピーＢの状況が表示され、異常状況の詳細を確認することができる。これらの機能切り替えキーは、各機能の動作状況によらず、いつでも押下可能であり、操作部を切り替え可能である。本実施例の様に、コピーＡ機能とコピーＢ機能が切り替え可能である場合に、前述したストップキー、スタートキー、リセットキー等の表示パネル内のキー以外のキーは、機能切り替えキー６０１、６０４により選択されている機能に対して、操作される。例えば、図６の例で、コピーＡ操作画面を表示している時に、ストップキーを押下しても、コピーＢの出力動作に対して複写動作の停止を行うことはできない。コピーＢの複写動作を停止する場合は、コピーＢ機能キー６０４を押下後、ストップキー６１５を押下することで、コピーＢの出力は停止する。又、ユーザー設定キー６１８により設定されるデータはコピーＡ、コピーＢの操作部が選択されている画面それぞれにおいてデータを有して、それぞれの画面において独立に設定操作を行うことができる。
【００４１】
図８は、前述のユーザー設定キー６１８によって表示される一連のタブ文字設定のための画面である。
【００４２】
図８（ａ）はプリンタ・コピー共通機能の設定画面のうちの一つであり、ここではタブ文字のフォントサイズ決定方法を設定する画面へ遷移するためのキー８０１が中央に配置されている。このキー８０１を押下することで、図８（ｂ）が表示される。この図８（ｂ）の画面において、ユーザーはタブ位置に印字される文字のフォントサイズを各文章毎に最適サイズを選択する方法にするか、全文章中の最大文字数のもので最適なサイズで統一する方法にするかを設定することができる。
【００４３】
つづいて図９において、本発明におけるタブ位置算出処理を説明する。
【００４４】
この説明において、タブ紙はＬＴＲサイズの用紙にタブ部が付与されているＬＴＲタブ用紙であるとする。説明の便宜上、用いるタブシートはタブ部がＬＴＲサイズ用紙を縦置きにした場合の上部から、タブ部が下方に順にずれて位置するような組み合わせになっているセットを用いることとする。
【００４５】
もちろん実際の用途に応じてその組み合わせが逆（用紙下部から順に上方にタブ部がずれているセット）を用いることも可能である。
【００４６】
そして説明の便宜上、基準点としてＬＴＲサイズ用紙を縦置きにした時の左上隅の点をＸ軸・Ｙ軸の原点とする。
【００４７】
上記の前提において、タブ位置のＸ方向は、Ｘ方向にＬＴＲ長さＸｌにタブ部長さＸｔを加えた長さから、印字マージンＸｍを引いた位置を印字する文字の左上隅となるよう算出される。
【００４８】
この際印字マージンは、画像形成のためのプリントエンジンの性能によらず規定してもよいし、エンジン性能により規定してもよいし、不図示の入力画面によってユーザーにより入力された設定値をもって規定されてもよい。
【００４９】
さらにタブ位置のＹ方向は、ＬＴＲ幅Ｙｌと、図７（ｄ）において設定されたタブ紙一組におけるタブ数Ｔと、各タブ部の形状により得られるＹ方向の印字マージンＹｍとから下記の式で表現できる。
【００５０】
ｙ＝（Ｙｌ　／　Ｔ）＊（Ｎ　　１）　　Ｙｍ　（Ｎはタブ紙一組において何番目のシートにあたるかを示す）
この算出処理において、本説明ではタブ部長さＸｔとＹ方向の印字マージンＹｍは規定の長さとして、およびタブ部幅（Ｙｌ　／　Ｔ）はユーザー設定の一組分のタブ数から求めるものとしたが、不図示の入力手段を用いてそれぞれをユーザーにより入力された設定値を用いてもよい。
【００５１】
図１０において、図９で説明したタブ印字位置算出処理によって求められた印字位置に印字されるタブ印字領域算出処理と最適フォントサイズ算出処理について説明する。
【００５２】
図に示されるように、各タブ紙ごとの印字始点位置からＹ方向にＹａ＝　Ｙｌ　／　Ｔ　　２Ｙｍの長さ、Ｘ方向にＸａ　＝　Ｘｔ　　Ｘｍの長さから求められる矩形領域がタブ印字領域となる。
【００５３】
この領域に対して、ユーザーによって入力された各タブ部文章における文字数から最適サイズのフォントを求めることができる。文字数をＬとすると、Ｙｆ　＝　Ｙａ／　Ｌの式により、１文字あたりに割り付けられる文字幅が求められる。一文字あたりの文字高さＸｆはタブ印字領域Ｘ方向の長さＸａと等しいことから、フォントデータにおける各フォントサイズの縦・横の長さがともにＸｆ・Ｙｆより小さくかつ最大のフォントサイズを選択することで文字数Ｌに対し最適な印字結果を得ることができる。
【００５４】
これを全タブ部分のフォントに対し、全タブ部分に対応する文章の中から最大文字数Ｌｍを検知し、このＬｍに対する最適フォントサイズで全タブ部分の印字を行うようにすれば、全タブにおいて可能な限り最大で同一サイズのフォントを用いることができる。
【００５５】
また、各タブ部に対応する文章ごとの文字数に対して、前述の処理を行えば、各タブ部ごとに可能な限り最大な（最適な）サイズのフォントデータを用いることができる。
【００５６】
図１１にもとづいて本発明における第一の実施形態を説明する。
【００５７】
ステップ１１０１にて図７に示した設定画面群を用いてタブ作成モードの設定をスタートする。
【００５８】
ステップ１１０２にてタブ用紙をセットしているもしくはする予定のタブ給紙段はどの給紙段であるかの設定を行う。
【００５９】
ステップ１１０３にてこれから用いるタブ紙の一組の枚数、すなわちタブ組数Ｎの設定を行う。
【００６０】
続いてステップ１１０４にてステップ１１０３で設定されたタブ組数Ｎ分の各タブ部に印字するタブ部文章の入力を文章入力画面に従って行う。
【００６１】
ステップ１１０５にて、ステップ１１０４で行われたタブ部文章入力がステップ１１０３で設定されたタブ組数Ｎのすべてに対して行われたかどうかの判断を行う。
【００６２】
ステップ１１０５でタブ組数Ｎの分だけのタブ部文章入力が終了したと判断された場合、後述のステップ１１０６へ進む。ステップ１１０５でタブ組数Ｎの分だけのタブ部文章入力が終了していないと判断された場合は、ステップ１１０４に戻り、再度タブ部文章入力を行う。
【００６３】
ステップ１１０６にて設定されたタブ作成モードのプリントジョブに対し、開始命令が下されたかどうかの判断を行う。開始命令は、前述図６のスタートキー６１４のユーザーによる押下によってもたらされる、もしくは前述のコンピュータインターフェース部５０３を介して送信される場合などである。
【００６４】
ステップ１１０６でプリント開始と判断されなかった場合にはプリント開始と判断されるまでステップ１１０６を繰り返す。ステップ１１０６でプリント開始と判断された場合、ステップ１１０７にて本プリントジョブ開始時に設定済みであった出力部数Ｓを確定させると同時に、この後始まる一連の画像形成処理に際して現在の出力部の番号を管理するための変数ｓに１を代入、すなわち変数ｓの初期化を行う。
【００６５】
ステップ１１０８において、ステップ１１０４で入力された各タブ部文章の文字数から、印字処理に用いるフォントサイズを決定する。この際、全タブ部文章の文字数のうち最大のものに合わせフォントサイズを決定し、そのサイズで全タブ文章の印字を行う。
【００６６】
続いてステップ１１０９にてタブ部出力に際し、現時点でのタブ紙一組における何番目に対して処理を行っているかを管理する変数ｎに１を代入、すなわち変数ｎの初期化を行う。ステップ１１１０にて、変数ｎに対応したタブ部画像の可視像化およびその出力処理を行う。変数ｎに従って、ステップ１１０４で入力されたタブ部文章のうちｎ番目に対応する文章を文字コードデータ・フォントデータにより画像データ化し、さらに前述のタブ画像位置算出処理を行い、タブ紙一組の中のタブ位置の異なる各タブ用紙に対して適切な位置に画像形成する。
【００６７】
ステップ１１１１にてタブ番号管理変数ｎを１加算し、その値をｎに代入する。さらにステップ１１１２にてその時点での変数ｎの値がタブ組数Ｎと等しいかどうかの判断を行う。
【００６８】
ステップ１１１２でｎ＝　Ｎであると判断された場合には、ステップ１１１３にて出力部数管理変数ｓを１加算し、その値をｓに代入する。ステップ１１１２でｎ　＝　Ｎではないと判断された場合は、前述のステップ１１１０の処理に戻る。
ステップ１１１４にてその時点での変数ｓの値が設定された出力部数Ｓと等しいかどうかの判断を行う。
【００６９】
ステップ１１１４でｓ　＝　Ｓであると判断された場合には、ステップ１１１５にて本プリントジョブを終了する。ステップ１１１４でｓ　＝　Ｓではないと判断された場合には、前述のステップ１１０９の処理に戻り、さらに新たな一組のタブ出力を繰り返す。
【００７０】
以上が本発明における第一の実施形態の制御の流れである。
【００７１】
図１２にもとづいて本発明における第二の実施形態を説明する。
【００７２】
ステップ１１０１にて図７に示した設定画面群を用いてタブインサートモードの設定をスタートする。
【００７３】
ステップ１２０２にてタブ用紙をセットしているもしくはする予定のタブ給紙段はどの給紙段であるかの設定を行う。
【００７４】
ステップ１２０３にてこれから用いるタブ紙の一組の枚数、すなわちタブ組数Ｎの設定を行う。
【００７５】
ステップ１２０４にてタブ紙を通常プリント出力の間に挿入するその挿入位置、すなわちタブインサート位置を前述の図７における設定画面に従って設定する。
【００７６】
続いてステップ１２０５にてステップ１２０４で設定されたタブインサート位置に挿入するタブ紙の各タブ部に印字するタブ部文章の入力を文章入力画面に従って行う。
ステップ１２０６にて、ステップ１２０５で行われたタブ部文章入力がステップ１２０４で設定されたタブインサート位置の全数に対して行われたかどうかの判断を行う。
【００７７】
ステップ１２０７にて設定されたタブインサートモードのプリントジョブに対し、開始命令が下されたかどうかの判断を行う。開始命令は、前述図６のスタートキー６１４のユーザーによる押下によってもたらされる、もしくは前述のコンピュータインターフェース部５０３を介して送信される場合などである。
【００７８】
ステップ１２０７でプリント開始と判断されなかった場合にはプリント開始と判断されるまでステップ１２０７を繰り返す。ステップ１２０７でプリント開始と判断された場合、ステップ１２０８にて本プリントジョブ開始時に設定済みであった出力部数Ｓを確定させると同時に、この後始まる一連の画像形成処理に際して現在の出力部の番号を管理するための変数ｓに１を代入、すなわち変数ｓの初期化を行う。
【００７９】
ステップ１２０９において、ステップ１２０５で入力された各タブ部文章の文字数から、印字処理に用いるフォントサイズを決定する。この際、全タブ部文章の文字数のうち最大のものに合わせフォントサイズを決定し、そのサイズで全タブ文章の印字を行う。
【００８０】
ステップ１２１０にて本プリントジョブにおける原稿画像（タブ紙ではない通常サイズ紙にプリントされる）ページ数とステップ１２０４で設定されたタブインサート位置の全数を加えた数、すなわち本プリントジョブにおける１部あたりの全ページ数Ｐを確定させる。
【００８１】
続いてステップ１２１１にてこの１部あたりのページ数において、現在処理対象としているページを管理するための変数ｐに１を代入する、すなわち変数ｐの初期化を行う。
【００８２】
ステップ１２１２にてタブ部出力に際し、現在、タブ組数Ｎにおける何番目に対して処理を行っているかを管理する変数ｎに１を代入、すなわち変数ｎの初期化を行う。
【００８３】
ステップ１２１３にて、現在処理しているページｐがタブインサート位置かどうかの判断を行う。
【００８４】
ステップ１２１３で、現在ページｐがタブインサート位置であると判断された場合、ステップ１２１４にて前述の第一の実施形態ステップ１１１０と同様、変数ｎに従ったタブ位置に、対応するページｐに従ったタブインサート位置に対応して入力されたタブ部文章に対応するタブ部画像の形成を行う。ステップ１２１３で、現在ページｐがタブインサート位置ではないと判断された場合、ステップ１２１５にて現在ページｐに対応する原稿画像に基づく画像形成処理を通常サイズ紙に対し行う。ステップ１２１５の後、後述するステップ１２１８以降の処理を行う。
【００８５】
ステップ１２１４の後、ステップ１２１６にてタブ位置管理変数ｎを１加算し、その値をｎに代入する。
【００８６】
ステップ１２１７にて現在ページ変数ｐを１加算し、その値をｐに代入する。
【００８７】
ステップ１２１８にて、ページ変数ｐが全ページ数Ｐと等しいかどうかの判断を行う。
【００８８】
ステップ１２１８で、その時点での変数ｐが全ページ数Ｐと等しいと判断されなかった場合、さらにステップ１２１９にてその時点での変数ｎの値がタブ組数Ｎと等しいかどうかの判断を行う。ステップ１２１９で変数ｎの値がタブ組数Ｎと等しいと判断された場合、変数ｎの初期化を行うべくステップ１２１２の処理へ戻る。ステップ１２１９で変数ｎの値がタブ組数Ｎと等しいと判断されなかった場合、ステップ１２１３の処理へ戻る。
【００８９】
ステップ１２１８でその時点での変数ｐが全ページ数Ｐと等しいと判断された場合、ステップ１２２０にて出力部数管理変数ｓを１加算し、その値をｓに代入する。
【００９０】
さらにステップ１２２１にてその時点での変数ｓの値が設定された出力部数Ｓと等しいかどうかの判断を行う。
【００９１】
ステップ１２２１でｓ　＝　Ｓであると判断された場合には、ステップ１２２２にて本プリントジョブを終了する。ステップ１２２１でｓ　＝　Ｓではないと判断された場合には、前述のステップ１２１１の処理に戻り、ページ変数ｐとタブ位置変数ｎを初期化し、新たな１部の出力処理を繰り返す。
【００９２】
以上が本発明における第二の実施形態の制御の流れである。
【００９３】
図１３にもとづいて本発明における第三の実施形態を説明する。
【００９４】
ステップ１３０１からステップ１３０７までは前述の第一の実施形態におけるステップ１１０１から１１０７までと同様なので割愛する。
【００９５】
ステップ１３０８において、ステップ１３０４で入力された各タブ部文章の文字数から、印字処理に用いるフォントサイズを決定する。この際、各タブ部文章の文字数にあわせて各タブ部の印字処理に用いるフォントサイズを決定し、それぞれのサイズで各タブ文章の印字を行う。
【００９６】
ステップ１３０９からステップ１３１５までも前述の第一の実施形態におけるステップ１１０９から１１１５までと同様なので割愛する。
【００９７】
以上が本発明における第三の実施形態の制御の流れである。
【００９８】
図１４にもとづいて本発明における第四の実施形態を説明する。
【００９９】
ステップ１４０１からステップ１４０８までは前述の第一の実施形態におけるステップ１２０１から１２０８までと同様なので割愛する。
【０１００】
ステップ１４０９において、ステップ１４０５で入力された各タブ部文章の文字数から、印字処理に用いるフォントサイズを決定する。この際、各タブ部文章の文字数にあわせて各タブ部の印字処理に用いるフォントサイズを決定し、それぞれのサイズで各タブ文章の印字を行う。
【０１０１】
ステップ１４１０からステップ１４２２までも前述の第一の実施形態におけるステップ１２１０から１２２２までと同様なので割愛する。
【０１０２】
以上が本発明における第四の実施形態の制御の流れである。
【０１０３】
【発明の効果】
以上説明してきたように、本発明によって、タブ部分にプリントしたい文字を入力する入力手段を設け、さらにその入力文字数とタブ部分のエリアの大きさから、各タブシートごとに最適サイズのフォントを自動選択し、各タブシートのタブ部分に（１枚毎位置をずらしながら）画像形成することで、上記仕様上のわずらわしさから解放されることを可能とする画像形成装置を提案する。
【０１０４】
またさらに、各タブ部分のフォントのサイズが異なることを嫌うユーザーに対しては、その入力文字数のうち、最大文字数を検知してその最大文字数の文章において最適なフォントを用いて全タブ部分の画像形成をすることで印字に失敗することなく、かつ各タブ部分の印字の見栄えを揃えることのできる画像形成装置を提案する。
【図面の簡単な説明】
【図１】本発明の画像形成装置の図
【図２】本発明の制御ブロック図
【図３】システムブロック図
【図４】画像形成装置の画像処理ブロック図
【図５】画像メモリーブロック図
【図６】画像形成装置の操作部を示す図
【図７】画像形成装置の応用モード設定画面と、タブ合紙モードの設定画面の例を示す
【図８】図ユーザー設定キーによる表示画面例とその各項目における設定画面の例を示す図
【図９】タブ印字位置算出処理を説明する図
【図１０】タブ印字エリア算出処理およびフォントサイズ決定処理を説明する図
【図１１】本発明の第一の実施例における制御フローチャート
【図１２】本発明の第二の実施例における制御フローチャート
【図１３】本発明の第三の実施例における制御フローチャート
【図１４】本発明の第四の実施例における制御フローチャート
【符号の説明】
１　リーダー部
２　プリンター部
３　画像メモリー部
１７１　ＣＰＵ
１７２　操作部
３０１　ページメモリー
３０４　ハードディスク
【図１】
2004034550.tif 000003
【図２】
2004034550.tif 000004
【図３】
2004034550.tif 000005
【図４】
2004034550.tif 000006
【図５】
2004034550.tif 000007
【図６】
2004034550.tif 000008
【図７】
2004034550.tif 000009
【図８】
2004034550.tif 000010
【図９】
2004034550.tif 000011
【図１０】
2004034550.tif 000012
【図１１】
2004034550.tif 000013
【図１２】
2004034550.tif 000014
【図１３】
2004034550.tif 000015
【図１４】
2004034550.tif 000016